(57)【要約】【課題】空気調和機の状況に応じて、吸い込み空気に対するフィルタ部材を通過する空気の割合を調整することができる空気調和機を提供する。【解決手段】空気調和機（１）は、吸い込まれた空気の流路に設けられたフィルタ部材（１０、１１）と、送風機（９）と、冷凍サイクルに組み込まれた圧縮機（１７）および膨張弁（１８）と、流路を流れる空気に対するフィルタ部材（１０、１１）を通過する空気の割合が変化するようにフィルタ部材（１０、１１）を移動させる移動機構（１２、１３）と、フィルタ部材（１０、１１）を通過する空気の割合が空気調和機（１）の状況に応じた割合が予め設定された値のいずれかとなるように、移動機構（１２、１３）を制御してフィルタ部材（１０、１１）を移動させる制御部（５）と、を備える。【選択図】図１
2020204446.tif 000002
【特許請求の範囲】
【請求項１】
空気清浄機能を有する空気調和機であって、
吸込み口から吸い込まれた空気の流路に設けられた空気を浄化するフィルタ部材と、
前記吸込み口から空気を吸い込み吹出し口から空気を吹き出す送風機と、
冷凍サイクルに組み込まれた圧縮機および膨張弁と、
前記流路を流れる空気に対する前記フィルタ部材を通過する空気の割合が変化するように前記フィルタ部材を移動させる移動機構と、
前記割合が予め設定された値のいずれかとなるように、前記移動機構を制御して前記フィルタ部材を移動させる制御部と、を備えることを特徴とする空気調和機。
【請求項２】
運転モードとして、空気の浄化に優先して室温を設定温度にする空気調和優先モードを有し、
前記制御部は、前記空気調和優先モードでの動作開始時、前記割合が室温と前記設定温度との温度差に応じた割合となるように前記フィルタ部材を移動させることを特徴とする請求項１に記載の空気調和機。
【請求項３】
前記温度差に応じた前記割合は、前記温度差が大きくなるほど小さい値に設定されていることを特徴とする請求項２に記載の空気調和機。
【請求項４】
前記制御部は、前記温度差が予め定めた中レベルの範囲以外の小レベルおよび大レベルでは、前記割合が前記温度差に応じた割合となるように前記フィルタ部材を移動させ、前記温度差が前記中レベルの範囲では、前記割合が前記温度差および空気の汚れ度合に応じた割合となるように前記フィルタ部材を移動させることを特徴とする請求項２に記載の空気調和機。
【請求項５】
運転モードとして、室温を設定温度にする空気調和に優先して空気を浄化する空気清浄優先モードを有し、
前記制御部は、前記空気清浄優先モードでの動作開始時、前記割合が空気の汚れ度合いに応じた割合となるように前記フィルタ部材を移動させることを特徴とする請求項１から４の何れか１項に記載の空気調和機。
【請求項６】
前記汚れ度合いに応じた前記割合は、前記汚れ度合いが高くなるほど大きい値に設定されていることを特徴とする請求項５に記載の空気調和機。
【請求項７】
前記制御部は、前記汚れ度合いが予め定めた中レベルの範囲以外の低レベルおよび高レベルでは、前記割合が前記汚れ度合いに応じた割合となるように前記フィルタ部材を移動させ、前記汚れ度合いが前記中レベルの範囲では、前記割合が前記汚れ度合いおよび室温と前記設定温度との温度差に応じた割合となるように前記フィルタ部材を移動させることを特徴とする請求項５に記載の空気調和機。
【請求項８】
前記制御部は、室温を設定温度にする空気調和を伴う運転モードでの動作開始後、室温が前記設定温度に到達すると、それ以降は、室温と前記設定温度との差に応じて、前記割合が前記送風機での消費電力を小さくする割合となるように前記フィルタ部材を移動させることを特徴とする請求項１から７の何れか１項に記載の空気調和機。
【請求項９】
前記制御部は、室温を設定温度にする空気調和を伴う運転モードでの動作開始後、室温が前記設定温度に到達すると、それ以降は、室温と前記設定温度との差に応じて、前記割合が、前記送風機、前記圧縮機および前記膨張弁での消費電力の合計を小さくする割合となるように前記フィルタ部材を移動させることを特徴とする請求項１から７の何れか１項に記載の空気調和機。
【請求項１０】
前記フィルタ部材は、空気に含まれる粒子を捕集する空気清浄フィルタ、又は空気から臭い成分を除去する脱臭フィルタ、又はその両方を含むことを特徴とする請求項１から９の何れか１項に記載の空気調和機。
【発明の詳細な説明】
【技術分野】
【０００１】
本発明は、空気清浄フィルタを備えた空気清浄機能付きの空気調和機に関する。
【背景技術】
【０００２】
近年、ＨＥＰＡフィルタ(High Efficiency Particulate Air Filter)等の空気清浄フィルタを備えた空気清浄機能付きの空気調和機（エアコン）が開発されている。ＨＥＰＡフィルタは、空気を浄化する能力が高い分吸込み抵抗が大きい。そのため、空気調和機においては、空気清浄能力を高めると風量が少なくなり、設定温度に到達するまでの時間が長くなる。もちろん、室内機のファンの回転数を上げて風量を増やす、あるいは冷凍サイクルの冷媒の流速を上げることで、到達時間を短くすることはできるが、消費電力がアップしてしまう。
【０００３】
そこで、例えば、特許文献１には、空気清浄フィルタを可動式として、空気清浄機能が必要なときのみ吸い込み空気を空気清浄フィルタに通過させるようにできる空気調和機が提案されている。これにおいては、空気清浄機能が必要ないときは空気清浄フィルタを移動させて吸込み抵抗を小さくすることで、温度調整機能を有効に働かせることができる。
【先行技術文献】
【特許文献】
【０００４】
【特許文献２】特開２００２−１８８８５０号公報
【発明の概要】
【発明が解決しようとする課題】
【０００５】
しかしながら、特許文献１の構成では、吸い込み空気を空気清浄フィルタに通過させるか通過させないかの２択であり、空気清浄フィルタを通過する空気の割合を調整できるようにはなっていない。
【０００６】
そのため、例えば、吸い込み空気の一部については空気清浄フィルタを通過させて空気の浄化を図りつつ、残りはそのまま吸い込むことで吸込み抵抗を下げて設定温度に到達するまでの時間を短くするなどの手法がとれない。また、吸込み抵抗を調整して、省エネ化が図れるサイクルのバランスを実現するといったこともできない。吸込み抵抗を調整した上で、室内機の送付機、冷凍サイクルを実行する圧縮機、膨張弁等のバランスを設定することで、より一層の省エネ化が図れる。
【０００７】
本発明の一態様は、空気調和機の状況に応じて、吸い込み空気に対するフィルタ部材を通過する空気の割合を調整することができる空気調和機の提供を目的としている。
【課題を解決するための手段】
【０００８】
上記の課題を解決するために、本発明の一態様に係る空気調和機は、空気清浄機能を有する空気調和機であって、吸込み口から吸い込まれた空気の流路に設けられた空気を浄化するフィルタ部材と、前記吸込み口から空気を吸い込み吹出し口から空気を吹き出す送風機と、冷凍サイクルに組み込まれた圧縮機および膨張弁と、前記流路を流れる空気に対する前記フィルタ部材を通過する空気の割合が変化するように前記フィルタ部材を移動させる移動機構と、前記割合が予め設定された値のいずれかとなるように、前記移動機構を制御して前記フィルタ部材を移動させる制御部と、を備えることを特徴とする。
【発明の効果】
【０００９】
本発明の一態様によれば、空気調和機の状況に応じて、吸い込み空気に対するフィルタ部材を通過する空気の割合を調整することができる空気調和機を提供できるといった効果を奏する。
【図面の簡単な説明】
【００１０】
【図１】実施の形態１にかかる空気調和機の構成を示すブロック図である。
【図２】フィルタ部材を空気の流路から移動させる構成のイメージを示す図である。
【図３】フィルタ移動量と、吸込み抵抗（ＲＩ）、フィルタ通気面積（ＡＦ）、粉じん量（ＡＤ）、粉じん除去所要時間（ｔＤ）、臭い成分量（ＡＳ）および脱臭所要時間（ｔＳ）との関係を示す図である。
【図４】フィルタ移動量と、設定温度到達所要時間（ｔＴ）、サイクル入力電力（ＰＣ）および室内機ファン入力電力（ＰＩＦ）との関係を示す図である。
【図５】実施の形態１にかかる空気調和機が実行するメインフローの一例を示すフローチャートである。
【図６】埃センサの検出レベルおよび室温と設定温度との温度差（ΔＴ）と、空清フィルタの移動量との関係を示す図である。
【図７】図５のＳ３（Ｓ１０）の処理を示すフローチャートである。
【図８】図５のＳ５の処理を示すフローチャートである。
【図９】実施の形態２係る空気調和機が実行するメインフローの一例を示すフローチャートである。
【図１０】図９のＳ３Ａの処理を示すフローチャートである。
【図１１】図９のＳ５Ａの処理を示すフローチャートである。
【図１２】実施の形態３に係る空気調和機が実行するメインフローの一例を示すフローチャートである。
【図１３】実施の形態３に係る空気調和機が実行するメインフローの別の一例を示すフローチャートである。
【発明を実施するための形態】
【００１１】
本発明の実施の形態を図面に基づいて以下に説明する。
【００１２】
〔実施の形態１〕
（空気調和機の構成）
図１は、本実施の形態にかかる空気調和機１の構成を示すブロック図である。図１に示すように、空気調和機１は、室内機２と室外機３とを有し、室内機２および室外機３に亘って空調部４が設けられている。空調部４は冷凍サイクルを実行する部分であり、圧縮機１７、室内熱交換器２５、室外熱交換器２６、膨張弁１８および室外送風機１９等の冷凍サイクルを実行するための既知の構成を有する。
【００１３】
室内機２は、制御部５、記憶部６、受信部７、室内送風機（送風機）９、空気清浄フィルタ（以下、単に空清フィルタと称する）１０、脱臭フィルタ１１、空清フィルタ移動機構（移動機構）１２、脱臭フィルタ移動機構（移動機構）１３、室温センサ１４、埃センサ１５、臭いセンサ１６等を備えている。
【００１４】
制御部５は、マイクロコンピュータ等からなり、室外機３を含む空気調和機１の各部を制御する。記憶部６には、制御部５が各部の制御に用いるプログラムおよびデータ等が記憶されている。受信部７は、ユーザが操作するリモートコントローラ（以下、単にリモコンと称する）８からの指令を受信して制御部５に送信する。
【００１５】
室内送風機（以下、単に送風機と称する）９は、吸込み口から空気を吸い込み吹出し口から空気を吹き出す。吸い込まれた空気は、空調部４の室内熱交換器２５と熱交換した後吹き出される。
【００１６】
空清フィルタ１０は、例えばＨＥＰＡフィルタ(High Efficiency Particulate Air Filter)であり、送風機９で吸い込まれた空気を通過させて、空気中に含まれる粉じん等の粒子を捕集することで除去して空気を浄化する。脱臭フィルタ１１は、送風機９で吸い込まれた空気を通過させて、空気中に含まれる臭い成分を除去して脱臭する。空清フィルタ１０および脱臭フィルタ１１がフィルタ部材に相当する。本実施の形態では、フィルタ部材として、空清フィルタ１０および脱臭フィルタ１１を備えてこれら両方を移動させる構成を例示するが、少なくとも一方を備え移動させ得る構成であればよい。
【００１７】
空清フィルタ１０および脱臭フィルタ１１は、送風機９にて吸込み口から吸い込まれた空気の流路に設けられている。空清フィルタ１０および脱臭フィルタ１１は、積層して配置されていてもよいし、空間を隔てて配置されていてもよい。
【００１８】
空清フィルタ移動機構１２は、空清フィルタ１０を吸い込まれた空気の流路から移動させる。空清フィルタ移動機構１２、流路を流れる空気に対する空清フィルタ１０を通過する空気の割合が変化するように、空清フィルタ１０を移動させる。
【００１９】
脱臭フィルタ移動機構１３は、脱臭フィルタ１１を吸い込まれた空気の流路から移動させる。脱臭フィルタ移動機構１３は、流路を流れる空気に対する脱臭フィルタ１１を通過する空気の割合が変化するように、脱臭フィルタ１１を移動させる。
【００２０】
空清フィルタ１０又は脱臭フィルタ１１を空気の流路から移動させる構成としては、例えば図２に示す、スライド式、片側開閉式、持ち上げ式、シャッター式等の種々の構成を採用できる。フィルタ部材２１が、空清フィルタ１０又は脱臭フィルタ１１に相当する。図２では、空気の流路に入口に相当する吸い込み口２０にフィルタ部材２１を配置しているが、吸い込み口２０より内側に入った流路上に配置されていてもよい。
【００２１】
スライド式は、フィルタ部材２１のスライド量を調整することでフィルタ部材２１を通過する空気の割合を変化させることができる。片側開閉式は、フィルタ部材２１を開く角度を調整することでフィルタ部材２１を通過する空気の割合を変化させることができる。持ち上げ式は、フィルタ部材２１の持ち上げ量を調整することでフィルタ部材２１を通過する空気の割合を変化させることができる。シャッター式は、フィルタ部材２１を開く角度又は開く領域を調整することでフィルタ部材２１を通過する空気の割合を変化させることができる。
【００２２】
図１に戻り、室温センサ１４は室温を検出して制御部５に送信する。埃センサ１５は空気中に含まれる粉じんの量を検出して制御部５に送信する。粉じんとは、空気中に浮遊する、塵や埃、花粉であり、ＰＭ２．５等の微粒子も含む。臭いセンサ１６は、空気中に含まれる臭い成分の量を検出して制御部５に送信する。制御部５は、埃センサ１５にて検出された粉じんの量（検出レベル）に応じて空清フィルタ１０の移動量を決定し、また、臭いセンサ１６にて検出された臭い成分の量（検出レベル）に応じて脱臭フィルタ１１の移動量を決定する。埃センサ１５の検出レベルおよび臭いセンサ１６の検出レベルが、空気の汚れ度合いに相当する。
【００２３】
（制御部５）
制御部５は、空清フィルタ１０を通過する空気の割合が予め設定された値のいずれかとなるように、空清フィルタ移動機構１２を制御して空清フィルタ１０を移動させる。同様に、本実施の形態では、制御部５は、脱臭フィルタ１１を通過する空気の割合が予め設定された値のいずれかとなるように、前記割合が任意の値となるように、脱臭フィルタ移動機構１３を制御して脱臭フィルタ１１を移動させる。換言すると、制御部５は、空気調和機１の状況に応じて、空清フィルタ１０および脱臭フィルタ１１を１〜１００％の範囲で任意の量移動させることができる。
【００２４】
空気調和機１の状況とは、例えば、運転モードの違い、動作開始時か否か、室温と設定温度との温度差（ΔＴ）、設定温度に到達するまでの時間（到達所要時間）、空気の汚れ度合い、設定温度に到達後の安定状態での運転中等である。
【００２５】
図３に、フィルタ移動量と、吸込み抵抗（ＲＩ）、フィルタ通気面積（ＡＦ）、粉じん量（ＡＤ）、粉じん除去所要時間（ｔＤ）、臭い成分量（ＡＳ）および脱臭所要時間（ｔＳ）との関係を示す。粉じん量（ＡＤ）および粉じん除去所要時間（ｔＤ）についてフィルタ移動量は空清フィルタ１０の移動量であり、臭い成分量（ＡＳ）および脱臭所要時間（ｔＳ）についてフィルタ移動量は脱臭フィルタ１１の移動量である。吸込み抵抗（ＲＩ）およびフィルタ通気面積（ＡＦ）についてフィルタ移動量は空清フィルタ１０および脱臭フィルタ１１共通である。また、図４に、フィルタ移動量と、設定温度到達所要時間（ｔＴ）、サイクル入力電力（ＰＣ）および室内機ファン入力電力（ＰＩＦ）との関係を示す。図４において、フィルタ移動量は空清フィルタ１０および脱臭フィルタ１１共通である。
【００２６】
図３に示すように、フィルタ移動量に比例して吸込み抵抗（ＲＩ）は下がる。吸込み抵抗（ＲＩ）だけでなく、フィルタ通気面積（ＡＦ）、粉じん量（ＡＤ）、粉じん除去所要時間（ｔＤ）、臭い成分量（ＡＳ）および脱臭所要時間（ｔＳ）も下がる。また、図４に示すように、フィルタ移動量に比例して、設定温度到達所要時間（ｔＴ）、サイクル入力電力（ＰＣ）および室内機ファン入力電力（ＰＩＦ）も下がる。サイクル入力電力（ＰＣ）は、空調部４の入力電力であり、室内機ファン入力電力（ＰＩＦ）は、送風機９の入力電力である。
【００２７】
制御部５は、このような関係を利用して、空気調和機１の状況に応じて、空清フィルタ１０および脱臭フィルタ１１を移動させる。これについて、具体的に説明する。
【００２８】
空気調和機１は、運転モードとして、空気の浄化に優先して室温を設定温度にする空調優先モード（空気調和優先モード）と、室温を設定温度にする空気調和に優先して空気を浄化する空清優先モード（空気清浄優先モード）とを有している。これら空調優先モードおよび空清優先モードは、室温を設定温度する、および空気の浄化を行う空気調和を伴う運転モードである。
【００２９】
＜空調優先モードの動作開始時＞
空調優先モードでは、動作開始時、室温を設定温度にまで早く到達させる必要があるため、制御部５は、動作開始時、空清フィルタ１０を通過する空気の割合が、室温と設定温度との温度差（ΔＴ）に応じた割合となるように空清フィルタ１０を移動させる。具体的には、温度差（ΔＴ）に応じた割合は、温度差（ΔＴ）が大きくなるほど小さい値に設定されている。
【００３０】
つまり、空調優先モードでの動作開始時は、空気の浄化のスピードは遅くなるものの、空清フィルタ１０を移動させて、空清フィルタ１０を通過する空気の割合を小さくして、吸込み抵抗を下げる。その際、温度差（ΔＴ）が大きい程、空清フィルタ１０を通過する割合が小さくなるように、空清フィルタ１０を大きく移動させることが好ましく、空清フィルタ１０を流路から完全に移動させた移動量１００％も含む。但し、空調優先モードではあっても、温度差（ΔＴ）が小さく、設定温度に到達までに時間がかからない場合は、空清フィルタ１０を通過する割合を１００％としてもよい。
【００３１】
これにより、空調優先モードでは、動作開始時、温度差（ΔＴ）に応じて空清フィルタ１０を移動させて吸込み抵抗を下げることで、送風機９の入力電力を上げるあるいは空調部４の入力電力を上げることなく、風量を確保して室温を設定温度に早く到達させることができる。また、温度差（ΔＴ）に応じて、設定温度に到達までに時間がかからない場合には、空清フィルタ１０の移動量を小さくすることで、設定温度への早期到達を図りつつも、空気の浄化も早めに開始することができる。
【００３２】
そして、本実施の形態では、制御部５は、温度差（ΔＴ）が予め定めた中レベルの範囲以外の小レベルおよび大レベルでは、空清フィルタ１０を通過する空気の割合が温度差（ΔＴ）に応じた割合となるように空清フィルタ１０を移動させ、温度差（ΔＴ）が中レベルの範囲では、空清フィルタ１０を通過する空気の割合が温度差（ΔＴ）および空気の汚れ度合を示す埃センサ１５の検出レベルに応じた割合となるように空清フィルタ１０を移動させる。
【００３３】
制御部５は、空調優先モードでの動作開始時、脱臭フィルタ１１についても空清フィルタ１０と同様に移動させる。
【００３４】
＜空清優先モードの動作開始時＞
一方、空清優先モードでは、動作開始時、室内の空気を早く浄化して清浄にする必要があるため、制御部５は、動作開始時、空清フィルタ１０を通過する空気の割合が、空気の汚れ度合いに相当する埃センサ１５の検出レベルに応じた割合となるように空清フィルタ１０を移動させる。具体的には、汚れ度合いに応じた割合は、汚れ度合いが高くなる、つまり、埃センサ１５の検出レベルが高くなるほど、大きい値に設定されている。
【００３５】
つまり、空清優先モードでの動作開始時は、室温の設定温度までの到達は遅くなるものの、空清フィルタ１０の移動量を小さくして空清フィルタ１０を通過する空気の割合を大きくする。その際、埃センサ１５の検出レベルが低い程、空清フィルタ１０を通過する割合が小さくなるように、空清フィルタ１０の移動量を大きくすることが好ましい。埃センサ１５の検出レベルが高い場合は、空清フィルタ１０にて流路を完全に閉じて移動量０％とし、埃センサ１５の検出レベルが低い場合には、空清フィルタ１０にて流路を完全に開放する移動量１００％も含む。空清優先モードではあっても、空気の汚れ度合いが小さく、設定温度に到達した後に浄化することで問題無い場合は、空清フィルタ１０を通過する割合を０％とする。
【００３６】
これにより、空清優先モードでは、動作開始時、空気の汚れ度合いに応じて空清フィルタ１０を移動させて、除去する粉じん量を上げて（＝粉じんの除去所要時間を短縮して）、空気を素早く浄化することができる。また、汚れ度合いに応じて、問題ない程度であれば、移動量を大きくすることで、吸込み抵抗を下げて風量を確保し、室温を設定温度にも早く到達させることができる。
【００３７】
そして、本実施の形態では、制御部５は、空気の汚れ度合いを示す埃センサ１５の検出レベルが予め定めた中レベルの範囲以外の低レベルおよび高レベルでは、空清フィルタ１０を通過する空気の割合が埃センサ１５の検出レベルに応じた割合となるように空清フィルタ１０を移動させ、埃センサ１５の検出レベルが中レベルの範囲では、空清フィルタ１０を通過する空気の割合が埃センサ１５の検出レベルおよび温度差（ΔＴ）に応じた割合となるように空清フィルタ１０を移動させる。
【００３８】
また、制御部５は、空清優先モードでの動作開始時、脱臭フィルタ１１についても空清フィルタ１０と同様に、空気の汚れ度合いに相当する臭いセンサ１６の検出レベルに応じた割合となるように移動させる。臭いセンサ１６の検出レベルに応じた割合も、臭いセンサ１６の検出レベルが高くなるほど大きい値に設定されている。
【００３９】
＜安定状態での運転中＞
空調優先モードおよび空清優先モードでは、室温が設定温度に到達して温度差（ΔＴ）がゼロとなると、制御部５は、それ以降は、温度差（ΔＴ）に応じて、吸込まれた空気が空清フィルタ１０を通過する割合が送風機９での消費電力を小さくする割合となるように空清フィルタ１０を移動させる。同様に、室温が設定温度に到達して温度差（ΔＴ）がゼロとなると、制御部５は、それ以降は、温度差（ΔＴ）に応じて、吸込まれた空気が脱臭フィルタ１１を通過する割合が送風機９での消費電力を小さくする割合となるように脱臭フィルタ１１を移動させる。
【００４０】
図４に示すように、フィルタ移動量を大きくすることで、送風機９の入力電力を抑えることができる。したがって、温度差（ΔＴ）がゼロとなった以降の安定状態での運転中は、送風機９の入力電力が小さくなるように空清フィルタ１０および脱臭フィルタ１１のフィルタ移動量を調整することで、省エネ化が図れる。
【００４１】
（処理の流れ）
本実施の形態の空気調和機１が実行する処理の流れを図５から図８に基づいて説明する。図５は、空気調和機１が実行するメインフローの一例を示すフローチャートである。
【００４２】
図５に示すように、空気調和機１の制御部５は、動作の開始が指示されると、室温・空気の状態をチェックする（Ｓ１）。つまり、室温センサ１４より室温を取得し、埃センサ１５および臭いセンサ１６より各検出レベルを取得する。
【００４３】
次に、指示されたモードが自動モードであるか否かを判断する（Ｓ２）。自動モードであれば空清優先モードでの運転を開始し、自動モード以外の場合は空調優先モードでの運転を開始する。
【００４４】
空清優先モードでの運転を開始すると、埃センサ１５の検出レベルに応じて空清フィルタ１０の移動量を決定して移動させ（Ｓ３）、臭いセンサ１６の検出レベルに応じて脱臭フィルタ１１の移動量を決定して移動させる（Ｓ４）。一方、空調優先モードでの運転を開始すると、室温と設定温度との温度差（ΔＴ）に応じて空清フィルタ１０、脱臭フィルタ１１の移動量を決定して移動させる（Ｓ５、Ｓ６）。なお、Ｓ３〜Ｓ６の処理については後述する。
【００４５】
Ｓ３、Ｓ４あるいはＳ５、Ｓ６を経て、空清フィルタ１０および脱臭フィルタ１１を移動させると、室温と設定温度との温度差（ΔＴ）がゼロであるか否かを判断する（Ｓ７）。ここで、ＮＯと判断すると、温度差（ΔＴ）がゼロとなるように、空調部４および送風機９を駆動して、冷房運転又は暖房運転を開始し（Ｓ８）、Ｓ７に戻る。
【００４６】
Ｓ７においてＹＥＳと判断すると、空気の状態をチェックし（Ｓ９）、埃センサ１５の検出レベルに応じて空清フィルタ１０の移動量を決定して移動させ（Ｓ１０）、臭いセンサ１６の検出レベルに応じて脱臭フィルタ１１の移動量を決定して移動させる（Ｓ１１）。
【００４７】
例えば、空調優先モードが選択されて空清フィルタ１０および脱臭フィルタ１１が大きく移動された場合でも、設定温度に到達後は、Ｓ９〜Ｓ１１の処理を経て、空清フィルタ１０および脱臭フィルタ１１は、空気の状態に応じた適切な位置に設定される。また、空清優先モードが選択されて空清フィルタ１０および脱臭フィルタ１１の移動量が小さく、吸込み抵抗が大きい場合でも、空気が浄化・脱臭後は、Ｓ９〜Ｓ１１の処理を経て、空清フィルタ１０および脱臭フィルタ１１は、不要な吸込み抵抗を掛けない適切な位置に設定される。
【００４８】
その後、温度差（ΔＴ）をゼロに保つ安定状態での運転に移行し（Ｓ１２）、制御部５は、送風機９の入力電力が小さくなるように、空清フィルタ１０および脱臭フィルタ１１の移動量を決定して移動させながら安定状態での運転を継続する（Ｓ１３）。また、安定状態での運転中に、空気の状態をチェックするタイミングか否かを判断しておき（Ｓ１４）、ＹＥＳと判断するとＳ９に戻る。
【００４９】
続いて、図５のフローチャートにおけるＳ３〜Ｓ６の処理を詳細に説明する。図６は、埃センサ１５の検出レベルおよび温度差（ΔＴ）と、空清フィルタ１０の移動量との関係を示す図である。図６のテーブル６−１に示すように、ここでは、検出レベルを高中低の３段階に分けると共に温度差（ΔＴ）も大中小３段階に分け、互いの組み合わせに応じて空清フィルタ１０の移動量を設定している。検出レベルが「低」、温度差（ΔＴ）が「大」の場合、移動量は１００％とし、検出レベルが「高」、温度差（ΔＴ）が「小」の場合、移動量は０％とする。これら以外の組み合わせにおいては、移動量が、Ｘ１＞Ｘ２＞Ｘ３＞Ｘ４＞Ｘ５＞Ｘ６＞Ｘ７と設定されている。そして、テーブル６−１に従い、空清優先モードではテーブル６−２に示すように移動量を決定し、空調優先モードではテーブル６−３に示すように移動量を決定する。なお、脱臭フィルタ１１の移動量の決定も同様である。
【００５０】
なお、図６の例では、０％と１００％との間を７段階に設定しているが、例えば、Ｘ１＝Ｘ２＞Ｘ３＝Ｘ４＝Ｘ５＞Ｘ６＝Ｘ７と３段階に設定してもよい。また、検出レベルと温度差（ΔＴ）をさらに細かく分けて設定してもよい。
【００５１】
図７は図５のＳ３（Ｓ１０）の処理を示すフローチャートである。図７に示すように、埃センサ１５の検出レベルが「低レベル」と判断すると、空清フィルタ１０の移動量を１００％とする（Ｓ３１、Ｓ３２）。埃センサ１５の検出レベルが「高レベル」と判断すると、空清フィルタ１０の移動量を０％とする（Ｓ３４、Ｓ３５）。「低レベル」でも「高レベル」でもない場合は「中レベル」と判断し、温度差（ΔＴ）を考慮し、温度差（ΔＴ）が「大」であると判断すると移動量をＸ２とする（Ｓ３６、Ｓ３７）。また、温度差（ΔＴ）が「小」であると判断すると移動量をＸ２よりも少ないＸ６とする（Ｓ３８、Ｓ３９）。温度差（ΔＴ）が「大」でも「小」でもない「中」の場合は、移動量をＸ２とＸ６との間のＸ４とする（Ｓ４０）。Ｓ３３では、Ｓ３２、Ｓ３５、Ｓ３７、Ｓ３９あるいはＳ４０で決定された移動量で移動されるように、空清フィルタ１０を移動させる。
【００５２】
また、図５のＳ４（Ｓ１１）の脱臭フィルタ１１を移動させる処理も、Ｓ３１、Ｓ３４において、埃センサ１５に替えて臭いセンサ１６の検出レベルを使用する点が異なるだけで、図７と同様である。
【００５３】
図８は図５のＳ５の処理を示すフローチャートである。図８に示すように、室温と設定温度との温度差（ΔＴ）が「大」と判断すると、空清フィルタ１０の移動量を１００％とする（Ｓ５１、Ｓ５２）。温度差（ΔＴ）が「小」と判断すると、空清フィルタ１０の移動量を０％とする（Ｓ５４、Ｓ５５）。温度差（ΔＴ）が「大」でも「小」でもない場合は「中」と判断し、埃センサ１５の検出レベルを考慮し、検出レベルが「低レベル」であると判断すると移動量をＸ１とする（Ｓ５６、Ｓ５７）。また、検出レベルが「高レベル」であると判断すると移動量をＸ１よりも少ないＸ７とする（Ｓ５８、Ｓ５９）。検出レベルが「低レベル」でも「高レベル」でもない「中レベル」の場合は、移動量をＸ１とＸ７との間のＸ４とする（Ｓ６０）。Ｓ５３では、Ｓ５２、Ｓ５５、Ｓ５７、Ｓ５９あるいはＳ６０で決定された移動量で移動されるように、空清フィルタ１０を移動させる。
【００５４】
また、図５のＳ６の脱臭フィルタ１１を移動させる処理も、Ｓ５６、Ｓ５８において、埃センサ１５に替えて臭いセンサ１６の検出レベルを使用する点が異なるだけで、図８と同様である。
【００５５】
なお、図７、図８に示した移動量の決定は一例に過ぎず、特に、空清優先モードおよび空調優先モードにおいて、空清フィルタ１０および脱臭フィルタ１１を０％よりも大きく１００％よりも小さい範囲で動かす場合、初期設定はユーザの好みで行うようにしてもよい。例えば、花粉症の人やアレルギーに弱い人は、空調優先モードが選択されたとしても、空清フィルタ１０の移動量は小さい方が好ましい。したがって、センサ１５，１６の検出レベルがたとえ同じ「中レベル」であっても、脱臭フィルタの移動量はＸ２とし、空清フィルタ１０の移動量はＸ７とするといったように設定してもよい。また、温度差に弱い人の場合は、温度差（ΔＴ）が「中」である場合の移動量を小さいＸ６、Ｘ７に設定してもよい。このような初期の設定は、リモコン８や、通信端末にダウンロードさせた専用のアプリケーション等を用いて行うようにすればよい。
【００５６】
また、より好ましくは、制御部５は、ユーザの好みに合わせた初期設定で空清フィルタ１０および脱臭フィルタ１１を動かしながら、実際のユーザの操作に基づいてユーザの使い方をＡＩ技術を用いて学習し、ユーザの使い方にあった移動量となるように設定することである。
【００５７】
〔実施の形態２〕
本発明の他の実施の形態について、以下に説明する。なお、説明の便宜上、上記実施の形態にて説明した部材と同じ機能を有する部材については、同じ符号を付記し、その説明を繰り返さない。
【００５８】
本実施の形態に係る空気調和機１における制御部５は、室温と設定温度との温度差（ΔＴ）に替えて設定温度までの到達所要時間を用いる点が、実施の形態１の空気調和機１と異なる。設定温度までの到達所要時間は、室温と設定温度との温度差（ΔＴ）以外に、空気調和機１の空調部４の能力、空調空間の気密性等によって決まる。
【００５９】
このような構成とすることで、設定温度までの到達所要時間を重視したフィルタ移動が、空清優先モードおよび空調優先モードにて実行できるので、ユーザの快適感をさらに向上させることができる。
【００６０】
図９は、本実施の形態に係る空気調和機１が実行するメインフローの一例を示すフローチャートである。図５のフローチャートとは、Ｓ３、Ｓ４、Ｓ５、Ｓ６に替えてＳ３Ａ、Ｓ４Ａ、Ｓ５Ａ、Ｓ６Ａを実行する点が異なる。
【００６１】
図１０は、図９のＳ３Ａの処理を示すフローチャートである。図１０に示すように、埃センサ１５の検出レベルが「低レベル」と判断すると、空清フィルタ１０の移動量を１００％とする（Ｓ３１、Ｓ３２）。埃センサ１５の検出レベルが「高レベル」と判断すると、空清フィルタ１０の移動量を０％とする（Ｓ３４、Ｓ３５）。「低レベル」でも「高レベル」でもない場合は「中レベル」と判断し、設定温度までの到達所要時間を考慮し、到達所要時間が「長」であると判断すると移動量をＸ２とする（Ｓ３６Ａ、Ｓ３７）。また、到達所要時間が「短」であると判断すると移動量をＸ２よりも少ないＸ６とする（Ｓ３８Ａ、Ｓ３９）。到達所要時間が「長」でも「短」でもない「中」の場合は、移動量をＸ２とＸ６との間のＸ４とする（Ｓ４０）。Ｓ３３では、Ｓ３２、Ｓ３５、Ｓ３７、Ｓ３９あるいはＳ４０で決定された移動量で移動されるように、空清フィルタ１０を移動させる。
【００６２】
また、図９のＳ４Ａの脱臭フィルタ１１を移動させる処理も、Ｓ３１、Ｓ３４において、埃センサ１５に替えて臭いセンサ１６の検出レベルを使用する点が異なるだけで、図１０と同様である。
【００６３】
図１１は、図９のＳ５Ａの処理を示すフローチャートである。図１１に示すように、設定温度までの到達所要時間が「長」と判断すると、空清フィルタ１０の移動量を１００％とする（Ｓ５１Ａ、Ｓ５２）。到達所要時間が「短」と判断すると、空清フィルタ１０の移動量を０％とする（Ｓ５４Ａ、Ｓ５５）。到達所要時間が「長」でも「短」でもない場合は「中」と判断し、埃センサ１５の検出レベルを考慮し、検出レベルが「低レベル」であると判断すると移動量をＸ１とする（Ｓ５６、Ｓ５７）。また、検出レベルが「高レベル」であると判断すると移動量をＸ１よりも少ないＸ７とする（Ｓ５８、Ｓ５９）。検出レベルが「低レベル」でも「高レベル」でもない「中レベル」の場合は、移動量をＸ１とＸ７との間のＸ４とする（Ｓ６０）。Ｓ５３では、Ｓ５２、Ｓ５５、Ｓ５７、Ｓ５９あるいはＳ６０で決定された移動量で移動されるように、空清フィルタ１０を移動させる。
【００６４】
また、図９のＳ６Ａの脱臭フィルタ１１を移動させる処理も、Ｓ５６、Ｓ５８において、埃センサ１５に替えて臭いセンサ１６の検出レベルを使用する点が異なるだけで、図１１と同様である。
【００６５】
〔実施の形態３〕
本発明の他の実施の形態について、以下に説明する。なお、説明の便宜上、上記実施の形態にて説明した部材と同じ機能を有する部材については、同じ符号を付記し、その説明を繰り返さない。
【００６６】
実施の形態１，２に係る空気調和機１においては、室温と設定温度との温度差（ΔＴ）をゼロに保つ安定状態の運転中、制御部５は、送風機９の入力電力が小さくなるように、空清フィルタ１０および脱臭フィルタ１１の移動量を決定して移動させていた。
【００６７】
これに対し、本実施の形態に係る空気調和機１においては、室温と設定温度との温度差（ΔＴ）をゼロに保つ安定状態の運転中、制御部５は、送風機９、空調部４の圧縮機１７および膨張弁１８での消費電力が小さくなるように、空清フィルタ１０および脱臭フィルタ１１の移動量を決定する。このような構成とすることで、送風機９、空調部４の圧縮機１７および膨張弁１８での消費電力の合計を抑えることが可能となる。
【００６８】
図１２は、本実施の形態に係る空気調和機１が実行するメインフローの一例を示すフローチャートである。図５のフローチャートとは、Ｓ１３に代えてＳ１３Ａを実行する点が異なる。Ｓ１３Ａでは、制御部５は、室温と設定温度との温度差（ΔＴ）をゼロに保つ安定状態の運転中、制御部５は、送風機９、空調部４の圧縮機１７および膨張弁１８でのトータルの消費電力が小さくなるように、空清フィルタ１０および脱臭フィルタ１１の移動量し、空清フィルタ１０および脱臭フィルタ１１させる。
【００６９】
図１３は、本実施の形態に係る空気調和機１が実行するメインフローの別の例を示すフローチャートである。図９のフローチャートとは、Ｓ１３に代えてＳ１３Ａを実行する点が異なる。自動モードに替えて自動エコモードが指定された場合に、図１２、図１３のフローチャートによるフィルタ移動を行うようにしてもよい。
【００７０】
〔ソフトウェアによる実現例〕
空気調和機１における、制御部５は、集積回路（ＩＣチップ）等に形成された論理回路（ハードウェア）によって実現してもよいし、ソフトウェアによって実現してもよい。
【００７１】
後者の場合、制御部５は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００７２】
〔まとめ〕
本発明の態様１に係る空気調和機１は、空気清浄機能を有する空気調和機であって、吸込み口から吸い込まれた空気の流路に設けられた空気を浄化するフィルタ部材と、前記吸込み口から空気を吸い込み吹出し口から空気を吹き出す送風機と、冷凍サイクルに組み込まれた圧縮機および膨張弁と、前記流路を流れる空気に対する前記フィルタ部材を通過する空気の割合が変化するように前記フィルタ部材を移動させる移動機構と、前記割合が予め設定された値のいずれかとなるように、前記移動機構を制御して前記フィルタ部材を移動させる制御部と、を備えることを特徴とする。
【００７３】
本発明の態様２に係る空気調和機１は、さらに、上記態様１において、運転モードとして、空気の浄化に優先して室温を設定温度にする空気調和優先モードを有し、前記制御部は、前記空気調和優先モードでの動作開始時、前記割合が室温と前記設定温度との温度差に応じた割合となるように前記フィルタ部材を移動させる構成とすることもできる。
【００７４】
本発明の態様３に係る空気調和機１は、さらに、上記態様２において、前記温度差に応じた前記割合は、前記温度差が大きくなるほど小さい値に設定されている構成とすることもできる。
【００７５】
本発明の態様４に係る空気調和機１は、さらに、上記態様２において、前記制御部は、前記温度差が予め定めた中レベルの範囲以外の小レベルおよび大レベルでは、前記割合が前記温度差に応じた割合となるように前記フィルタ部材を移動させ、前記温度差が前記中レベルの範囲では、前記割合が前記温度差および空気の汚れ度合に応じた割合となるように前記フィルタ部材を移動させる構成とすることもできる。
【００７６】
本発明の態様５に係る空気調和機１は、さらに、上記態様１において、運転モードとして、室温を設定温度にする空気調和に優先して空気を浄化する空気清浄優先モードを有し、前記制御部は、前記空気清浄優先モードでの動作開始時、前記割合が空気の汚れ度合いに応じた割合となるように前記フィルタ部材を移動させる構成とすることもできる。
【００７７】
本発明の態様６に係る空気調和機１は、さらに、上記態様５において、前記汚れ度合いに応じた前記割合は、前記汚れ度合いが高くなるほど大きい値に設定されている構成とすることもできる。
【００７８】
本発明の態様７に係る空気調和機１は、さらに、上記態様５において、前記制御部は、前記汚れ度合いが予め定めた中レベルの範囲以外の低レベルおよび高レベルでは、前記割合が前記汚れ度合いに応じた割合となるように前記フィルタ部材を移動させ、前記汚れ度合いが前記中レベルの範囲では、前記割合が前記汚れ度合いおよび室温と前記設定温度との温度差に応じた割合となるように前記フィルタ部材を移動させる構成とすることもできる。
【００７９】
本発明の態様８に係る空気調和機１は、さらに、上記態様１から７の何れかにおいて、前記制御部は、室温を設定温度にする空気調和を伴う運転モードでの動作開始後、室温が前記設定温度に到達すると、それ以降は、室温と前記設定温度との差に応じて、前記割合が前記送風機での消費電力を小さくする割合となるように前記フィルタ部材を移動させる構成とすることもできる。
【００８０】
本発明の態様９に係る空気調和機１は、さらに、上記態様１から７の何れかにおいて、前記制御部は、室温を設定温度にする空気調和を伴う運転モードでの動作開始後、室温が前記設定温度に到達すると、それ以降は、室温と前記設定温度との差に応じて、前記割合が、前記送風機、前記圧縮機および前記膨張弁での消費電力の合計を小さくする割合となるように前記フィルタ部材を移動させる構成とすることもできる。
【００８１】
本発明の態様１０に係る空気調和機１は、さらに、上記態様１から９の何れかにおいて、前記フィルタ部材は、空気に含まれる粒子を捕集する空気清浄フィルタ、又は空気から臭い成分を除去する脱臭フィルタ、又はその両方を含む構成とすることもできる。
【００８２】
本発明は上述した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。さらに、各実施の形態にそれぞれ開示された技術的手段を組み合わせることにより、新しい技術的特徴を形成することができる。
【符号の説明】
【００８３】
１  空気調和機
２  室内機
３  室外機
４  空調部
５  制御部
６  記憶部
７  受信部
９  送風機
１０  空気清浄フィルタ（フィルタ部材）
１１  脱臭フィルタ（フィルタ部材）
１２  空清フィルタ移動機構（移動機構）
１３  脱臭フィルタ移動機構（移動機構）
１４  室温センサ
１５  埃センサ
１６  センサ
１７  圧縮機
１８  膨張弁
２０  吸い込み口
２１  フィルタ部材
【図１】
2020204446.tif 000003
【図２】
2020204446.tif 000004
【図３】
2020204446.tif 000005
【図４】
2020204446.tif 000006
【図５】
2020204446.tif 000007
【図６】
2020204446.tif 000008
【図７】
2020204446.tif 000009
【図８】
2020204446.tif 000010
【図９】
2020204446.tif 000011
【図１０】
2020204446.tif 000012
【図１１】
2020204446.tif 000013
【図１２】
2020204446.tif 000014
【図１３】
2020204446.tif 000015